(57)【要約】【課題】セキュリティを維持しつつ、ネットワークシステムにおけるデバイス間の接続を容易に行うことができるネットワークシステムの接続方法を提供する。【解決手段】ネットワークシステムにおけるホスト１１０とデバイス１３０とのデータ交換のための接続方法であって、デバイス１１０とホスト１３０との間の離隔距離を測定する段階（Ｓ２００）と、測定した離隔距離が所定の閾値より小さい場合、ホスト１１０が、デバイス１３０との接続に必要な情報を伝送する段階（Ｓ２４０）とを含むネットワークの接続方法を解決手段とする。【選択図】図３Ｂ
2007089159.tif 000002
【特許請求の範囲】
【請求項１】
ネットワークシステムにおけるホストとデバイスとのデータ交換のための接続方法であって、
前記デバイスと前記ホストとの間の離隔距離を測定する段階と、
前記離隔距離が所定の閾値より小さい場合、前記ホストが、前記デバイスとの接続に必要な情報を伝送する段階と、
を含むことを特徴とするネットワークシステムの接続方法。
【請求項２】
前記離隔距離が所定の閾値より小さい場合、前記デバイスが、ユーザに前記ホストとの接続の要請をするか否かの選択を促す表示を行う段階を更に含むこと、
を特徴とする請求項１に記載のネットワークシステムの接続方法。
【請求項３】
前記デバイスが、前記表示に応じて前記ホストとの接続の要請信号を取得すると、前記ホストに所定の秘密情報伝送キーを伝送する段階を更に含むこと、
を特徴とする請求項２に記載のネットワークシステムの接続方法。
【請求項４】
前記所定の秘密情報伝送キーは、ＦＳＫ（Fixed Symmetric Key）又は公開鍵のいずれかであること、
を特徴とする請求項３に記載のネットワークシステムの接続方法。
【請求項５】
前記離隔距離は、無線信号の特性情報を用いて測定すること、
を特徴とする請求項１に記載のネットワークシステムの接続方法。
【請求項６】
前記特性情報は、受信された信号強度、リンクの品質、及びパケットエラー率のうちいずれか１つ、又は、２つ以上を複合したものであること、
を特徴とする請求項５に記載のネットワークシステムの接続方法。
【請求項７】
前記デバイスと前記ホストとの間の距離は、前記ホスト又は前記デバイスの少なくともいずれかによって測定されること、
を特徴とする請求項１に記載のネットワークシステムの接続方法。
【請求項８】
ネットワークシステムにおいてデバイスとのデータ交換のための接続を行うホストであって、
前記デバイスと前記ホストとの間の離隔距離を測定する測定部と、
前記測定された離隔距離が、所定の閾値より小さい場合、前記デバイスとの接続に必要な情報を伝送する送受信部と、
を含むことを特徴とするネットワークシステムのホスト。
【請求項９】
前記送受信部は、前記離隔距離が所定の閾値より小さい場合、ユーザの接続の要請をするか否かの選択を前記デバイスに表示させる信号を、前記デバイスに伝送すること、
を特徴とする請求項８に記載のネットワークシステムのホスト。
【請求項１０】
前記送受信部は、前記デバイスに当該ホストへの接続の要請信号が入力されると、前記デバイスから所定のキーを受け取ること、
を特徴とする請求項９に記載のネットワークシステムのホスト。
【請求項１１】
前記所定のキーは、秘密情報を伝送するために必要な秘密情報伝送キーであり、ＦＳＫ（Fixed Symmetric Key）又は公開鍵のいずれかであること、
を特徴とする請求項１０に記載のネットワークシステムのホスト。
【請求項１２】
前記測定部は、無線信号の特性情報を用いて前記離隔距離を測定すること、
を特徴とする請求項８に記載のネットワークシステムのホスト。
【請求項１３】
前記特性情報は、前記デバイスから受信した信号強度、リンクの品質、及びパケットエラー率のうちいずれか１つであること、
を特徴とする請求項１２に記載のネットワークシステムのホスト。
【請求項１４】
ネットワークシステムにおいて、ホストとデバイスとのデータ交換のための媒介装置を使用した接続方法であって、
前記デバイスと前記媒介装置との間の離隔距離を測定する段階と、
前記デバイスとの離隔距離が所定の閾値より小さい場合、前記媒介装置が、前記デバイスに、前記ホストが前記デバイスに情報を伝送するようにする所定のキーの送信を要請する信号を伝送する段階と、
前記媒介装置が、前記デバイスから前記所定のキーを受け取る段階と、
前記ホストと前記媒介装置との間の離隔距離を測定する段階と、
前記ホストとの離隔距離が所定の閾値より小さい場合、前記媒介装置が、前記所定のキーを前記ホストに伝送する段階と、
を含むことを特徴とするネットワークシステムの接続方法。
【請求項１５】
前記デバイスと前記媒介装置との間の離隔距離が所定の閾値より小さい場合、前記媒介装置が、ユーザに前記デバイスとの接続の要請をするか否かの選択を促す表示を行う段階を更に含むこと、
を特徴とする請求項１４に記載のネットワークシステムの接続方法。
【請求項１６】
前記所定のキーの送信を要請する信号は、前記表示に応じて前記デバイスとの接続の要請信号を取得した場合に、前記デバイスに伝送されること、
を特徴とする請求項１５に記載のネットワークシステムの接続方法。
【請求項１７】
前記ホストと前記媒介装置との間の離隔距離が所定の閾値より小さい場合、前記媒介装置が、ユーザに前記ホストとの接続の要請をするか否かの選択を促す表示を行う段階を更に含むこと、
を特徴とする請求項１４に記載のネットワークシステムの接続方法。
【請求項１８】
前記所定のキーを前記ホストに伝送する段階において、前記所定のキーは、前記表示に応じて前記ホストとの接続の要請信号を取得した場合に、前記ホストに伝送されること、
を特徴とする請求項１７に記載のネットワークシステムの接続方法。
【請求項１９】
前記所定のキーは、秘密情報を伝送するために必要な秘密情報伝送キーであり、ＦＳＫ（Fixed Symmetric Key）又は公開鍵のいずれかであること、
を特徴とする請求項１４に記載のネットワークシステムの接続方法。
【請求項２０】
前記離隔距離は、無線信号の特性情報を用いて測定すること、
を特徴とする請求項１４に記載のネットワークシステムの接続方法。
【請求項２１】
前記特性情報は、受信した信号強度、リンクの品質、及びパケットエラー率のうち、いずれか１つであること、
を特徴とする請求項２０に記載のネットワークシステムの接続方法。
【請求項２２】
前記デバイスと前記媒介装置との間の離隔距離は、前記媒介装置及び前記デバイスのうち少なくとも１つによって測定されること、
を特徴とする請求項１４に記載のネットワークシステムの接続方法。
【請求項２３】
前記ホストと前記媒介装置との間の離隔距離は、前記ホスト及び前記媒介装置のうち少なくとも１つによって測定されること、
を特徴とする請求項１４に記載のネットワークシステムの接続方法。
【請求項２４】
前記媒介装置は、携帯端末であること、
を特徴とする請求項１４に記載のネットワークシステムの接続方法。
【請求項２５】
ネットワークシステムにおいて、ホストとデバイスとの接続のために使われる媒介装置であって、
前記デバイスとの離隔距離及び前記ホストとの離隔距離を測定する測定部と、
前記デバイスとの離隔距離が所定の閾値より小さい場合、前記デバイスに所定のキーの送信を要請する信号を伝送し、前記デバイスから前記所定のキーを受け取り、前記ホストとの離隔距離が所定の閾値より小さい場合、受け取った前記所定のキーを前記ホストに伝送する送受信部と、
を含むことを特徴とするネットワークシステムの媒介装置。
【請求項２６】
前記デバイスとの離隔距離が所定の閾値より小さい場合、ユーザに前記デバイスとの接続の要請をするか否かの選択を促す表示を行う表示部を更に含むこと、
を特徴とする請求項２５に記載のネットワークシステムの媒介装置。
【請求項２７】
前記送受信部は、前記表示に応じて前記デバイスとの接続の要請信号を取得した場合に、前記所定のキーの送信を要請する信号を伝送すること、
を特徴とする請求項２６に記載のネットワークシステムの媒介装置。
【請求項２８】
前記ホストとの離隔距離が所定の閾値より小さい場合、ユーザに前記ホストとの接続の要請をするか否かの選択を促す表示を行う表示部を更に含むこと、
を特徴とする請求項２５に記載のネットワークシステムの媒介装置。
【請求項２９】
前記送受信部は、前記表示に応じて前記ホストとの接続の要請信号を取得した場合に、前記所定のキーを前記ホストに伝送すること、
を特徴とする請求項２８に記載のネットワークシステムの媒介装置。
【請求項３０】
前記所定のキーは、秘密情報を伝送するために必要な秘密情報伝送キーであり、ＦＳＫ（Fixed Symmetric Key）又は公開鍵のいずれかであること、
を特徴とする請求項２５に記載のネットワークシステムの媒介装置。
【請求項３１】
前記測定部は、無線信号の特性情報を用いて前記離隔距離を測定すること、
を特徴とする請求項２５に記載のネットワークシステムの媒介装置。
【請求項３２】
前記特性情報は、受信した信号強度、リンクの品質、及びパケットエラー率のうち、いずれか１つ、又は２つ以上を複合したものであること、
を特徴とする請求項３１に記載のネットワークシステムの媒介装置。
【請求項３３】
前記測定部は、動作開始信号が入力されることにより動作すること、
を特徴とする請求項２５に記載のネットワークシステムの媒介装置。
【請求項３４】
データ交換のために接続されるデバイス及びホストと、前記ホストと前記デバイスとの接続のために使われる媒介装置とを含むネットワークシステムであって、
前記媒介装置は、
前記デバイスと前記媒介装置との離隔距離を測定し、前記デバイスとの離隔距離が所定の閾値より小さい場合、前記デバイスに所定のキーの送信を要請する信号を伝送し、前記ホストと前記媒介装置との離隔距離を測定し、前記ホストとの離隔距離が所定の閾値より小さい場合、前記デバイスから受け取った前記所定のキーを前記ホストに伝送し、
前記デバイスは、
前記媒介装置から前記所定のキーの送信を要請する信号を受け取った場合、前記所定のキーを前記媒介装置に伝送し、
前記ホストは、
前記媒介装置から前記所定のキーを受け取った場合、前記媒介装置に接続に必要な情報を伝送すること、
を特徴とするネットワークシステム。
【請求項３５】
前記媒介装置は、前記デバイスとの離隔距離が所定の閾値より小さい場合、ユーザに前記デバイスとの接続の要請をするか否かの選択を促す表示を行うこと、
を特徴とする請求項３４に記載のネットワークシステム。
【請求項３６】
前記媒介装置は、前記表示に応じて前記デバイスとの接続の要請信号を取得した場合に前記所定のキーの送信を要請する信号を前記デバイスに伝送すること、
を特徴とする請求項３５に記載のネットワークシステム。
【請求項３７】
前記媒介装置は、前記ホストとの離隔距離が所定の閾値より小さい場合、ユーザに前記ホストとの接続の要請をするか否かの選択を促す表示を行うこと、
を特徴とする請求項３４に記載のネットワークシステム。
【請求項３８】
前記媒介装置は、前記表示に応じて前記ホストとの接続の要請信号を取得した場合に前記所定のキーを前記ホストに伝送すること、
を特徴とする請求項３７に記載のネットワークシステム。
【請求項３９】
前記所定のキーは、秘密情報を伝送するために必要な秘密情報伝送キーであり、ＦＳＫ（Fixed Symmetric Key）又は公開鍵のいずれかであること、
を特徴とする請求項３４に記載のネットワークシステム。
【請求項４０】
前記媒介装置は、無線信号の特性情報を用いて前記離隔距離を測定すること、
を特徴とする請求項３４に記載のネットワークシステム。
【請求項４１】
前記特性情報は、受信した信号強度、リンクの品質、及びパケットエラー率のうち、いずれか１つであること、
を特徴とする請求項４０に記載のネットワークシステム。
【請求項４２】
前記媒介装置は、携帯端末であること、
を特徴とする請求項３４に記載のネットワークシステム。
【発明の詳細な説明】
【技術分野】
【０００１】
本発明は、ネットワークシステム、その接続方法、ネットワークシステムを構成する媒介装置及びホストに関し、より詳細には離隔距離の測定結果を用いるネットワークシステム、その接続方法、ネットワークシステムを構成する媒介装置及びホストに関する。
【背景技術】
【０００２】
図１は、従来技術に係るネットワークシステムを示す図面である。図１に示すように、従来技術に係るネットワークシステムは、ホスト１０とデバイス２０とを含む。従来技術によると、デバイス２０がホスト１０とのデータ交換のための接続（アソシエーション）をする場合に、ワイヤレスＵＳＢ（Universal Serial Bus）方式を用いることができる。ここで、アソシエーションとは、デバイス２０とホスト１０との接続のために初めにセットアップを実行することを意味する。このアソシエーションのためには、所定のキーをデバイス２０とホスト１０との間で交換する段階が必要になる。
【０００３】
ここで、所定のキーには、ＦＳＫ（Fixed Symmetric Key）を適用したり、公開鍵を適用することもできる。このキーを交換する過程を経た後、ホスト１０からデバイス２０への所定の情報（コネクションコンテクスト：Connection Context）の伝送が行われ、接続が確立される。
【０００４】
ここで、コネクションコンテクストには、通信のセキュリティのため初期にセットアップする必要があるすべての情報が含まれ、ホスト１０と特定のデバイス２０との間でのみ独立的に存在するものであって、常にホスト１０にて生成され、特定のデバイス２０へと伝送される。
コネクションコンテクストには、通常、１２８ビットのコネクションホストＩＤ（Connection Host ID）、１２８ビットのコネクションデバイスＩＤ（Connection Device ID）、及び１２８ビットのコネクションキー（Connection Key）が含まれている。
前記したコネクションテクストの伝送が行われると、所定のキー及びコネクションコンテクストを用いてセキュリティ通信を開始する。
【０００５】
一方、図１に示すような環境において、従来技術に係るネットワークシステムにおける接続方法は、無線通信環境が可変的であり、且つ、外部の攻撃者からの無線伝送に対する攻撃の恐れがあるという問題がある。
【０００６】
図２は、前記の問題を解決するためになされた、他の従来技術に係るネットワークシステムを示す図面である。
図２に示すネットワークシステムは、ホスト１０、デバイス２０、及びＵＳＢデバイス３０を含む。図２に示すように、ユーザがデバイス２０のホスト１０への接続を所望する場合、先ず、ユーザはＵＳＢデバイス３０をホスト１０のＵＳＢポートに接続して所定のキー及びコネクションコンテクストをＵＳＢデバイス３０に伝送する。その後、ユーザはホスト１０のＵＳＢポートからＵＳＢデバイス３０を抜き取った後、デバイス２０の赤外線（ＩＲ：Infrared）ポートに合わせて、ＵＳＢデバイス３０上のボタンを押して、所定のキー及びコネクションコンテクストをＵＳＢデバイス３０からデバイス２０へ転送する。これにより、所定のキー及びコネクションコンテクストを用いてデバイス２０はホスト１０に接続することができ、正常に動作する。
しかし、このような従来技術による場合、ユーザは意識的にＵＳＢデバイス３０をホスト１０に接続する行為及び抜き取る行為などを実施する必要があり、また、デバイス２０の赤外線ポートに合わせてＵＳＢデバイス３０上のボタンを押す必要があり、ユーザにとって煩雑であった。
従って、ネットワーク上におけるデバイスのホストへの接続のための一連の過程を容易に行う技術が求められている。
【特許文献１】米国特許出願公開第２００４／００３２８０号明細書
【特許文献２】韓国特許出願公開第２００５−０３７２５１号明細書
【特許文献３】米国特許出願公開第２００５／０５９３７９号明細書
【特許文献４】欧州特許出願公開１３３００７５号明細書
【発明の開示】
【発明が解決しようとする課題】
【０００７】
したがって、本発明の目的は、セキュリティを維持しつつ、ネットワークシステムにおけるデバイス間の接続を容易に行うことができるネットワークシステム、その接続方法、ネットワークシステムを構成するホスト及び媒介装置を提供することにある。
【課題を解決するための手段】
【０００８】
前記の目的を達成するための本発明に係るネットワークシステムにおける接続方法は、デバイスとホストとの間の離隔距離を測定する段階と、前記離隔距離が所定の閾値より小さい場合、前記ホストが、前記デバイスとの接続に必要な情報を伝送する段階とを含む。
また、前記離隔距離が所定の閾値より小さい場合、前記デバイスが、ユーザに前記ホストとの接続の要請をするか否かの選択を促す表示を行う段階を更に含むことができる。
【０００９】
また、前記デバイスが、前記表示に応じて前記ホストとの接続の要請信号を取得すると、前記ホストに所定の秘密情報伝送キーを伝送する段階を更に含むことができ、前記所定の秘密情報伝送キーは、ＦＳＫ（Fixed Symmetric Key）又は公開鍵のいずれかであることができる。
また、前記離隔距離は、無線信号の特性情報を用いて測定することができ、前記特性情報は、受信された信号強度、リンクの品質、及びパケットエラー率のうちいずれか１つ、又は、２つ以上を複合したものであることが望ましい。
また、前記デバイスと前記ホストとの間の距離は、前記ホスト及び前記デバイスのうち少なくとも１つによって測定されることができる。
【００１０】
前記の目的を達成するための本発明に係るネットワークシステムのホストは、デバイスとホストとの間の離隔距離を測定する測定部と、前記測定された離隔距離が、所定の閾値より小さい場合、前記デバイスとの接続に必要な情報を伝送する送受信部とを含むことができる。
【００１１】
また、前記送受信部は、前記離隔距離が所定の閾値より小さい場合、ユーザの接続の要請をするか否かの選択を前記デバイスに表示させる信号を、前記デバイスに伝送することができ、前記送受信部は、前記デバイスに当該ホストへの接続の要請信号が入力されると、前記デバイスから所定のキーを受け取ることができる。
また、前記所定のキーは、秘密情報を伝送するために必要な秘密情報伝送キーであり、ＦＳＫ（Fixed Symmetric Key）又は公開鍵のいずれかであることが望ましく、前記測定部は、無線信号の特性情報を用いて前記離隔距離を測定することができ、前記特性情報は、前記デバイスから受信した信号強度、リンクの品質、及びパケットエラー率のうちいずれか１つであることが望ましい。
【００１２】
前記の目的を達成するための本発明に係るネットワークシステムの接続方法は、デバイスと媒介装置との間の離隔距離を測定する段階と、前記デバイスとの離隔距離が所定の閾値より小さい場合、前記媒介装置が、前記デバイスに、前記ホストが前記デバイスに情報を伝送するようにする所定のキーの送信を要請する信号を伝送する段階と、前記媒介装置が、前記デバイスから前記所定のキーを受け取る段階と、ホストと前記媒介装置との間の離隔距離を測定する段階と、前記ホストとの離隔距離が所定の閾値より小さい場合、前記媒介装置が、前記所定のキーを前記ホストに伝送する段階とを含む。
【００１３】
また、前記デバイスと前記媒介装置との間の離隔距離が所定の閾値より小さい場合、前記媒介装置が、ユーザに前記デバイスとの接続の要請をするか否かの選択を促す表示を行う段階を更に含むことができ、前記所定のキーの送信を要請する信号は、前記表示に応じて前記デバイスとの接続の要請信号を取得した場合に、前記デバイスに伝送されることができる。
また、前記ホストと前記媒介装置との間の離隔距離が所定の閾値より小さい場合、前記媒介装置が、ユーザに前記ホストとの接続の要請をするか否かの選択を促す表示を行う段階を更に含むことができ、前記所定のキーを前記ホストに伝送する段階において、前記所定のキーは、前記表示に応じて前記ホストとの接続の要請信号を取得した場合に、前記ホストに伝送されることができる。
【００１４】
また、前記所定のキーは、秘密情報を伝送するために必要な秘密情報伝送キーであり、ＦＳＫ（Fixed Symmetric Key）又は公開鍵のいずれかであることが望ましく、前記離隔距離は、無線信号の特性情報を用いて測定することができ、前記特性情報は、受信した信号強度、リンクの品質、及びパケットエラー率のうち、いずれか１つであることが望ましい。
また、前記デバイスと前記媒介装置との間の離隔距離は、前記媒介装置及び前記デバイスのうち少なくとも１つによって測定されることができ、前記ホストと前記媒介装置との間の離隔距離は、前記ホスト及び前記媒介装置のうち少なくとも１つによって測定されることができる。
また、前記媒介装置は、携帯端末であってもよい。
【００１５】
前記の目的を達成するための本発明に係るネットワークシステムにおける媒介装置は、デバイスとの離隔距離及びホストとの離隔距離を測定する測定部と、前記デバイスとの離隔距離が所定の閾値より小さい場合、前記デバイスに所定のキーの送信を要請する信号を伝送し、前記デバイスから前記所定のキーを受け取り、前記ホストとの離隔距離が所定の閾値より小さい場合、受け取った前記所定のキーを前記ホストに伝送する送受信部とを含む。
【００１６】
また、前記デバイスとの離隔距離が所定の閾値より小さい場合、ユーザに前記デバイスとの接続の要請をするか否かの選択を促す表示を行う表示部を更に含むことができ、前記送受信部は、前記表示に応じて前記デバイスとの接続の要請信号を取得した場合に、前記所定のキーの送信を要請する信号を伝送することができる。
また、前記ホストとの離隔距離が所定の閾値より小さい場合、ユーザに前記ホストとの接続の要請をするか否かの選択を促す表示を行う表示部を更に含むことができ、前記送受信部は、前記表示に応じて前記ホストとの接続の要請信号を取得した場合に、前記所定のキーを前記ホストに伝送することができる。
【００１７】
また、前記所定のキーは、秘密情報を伝送するために必要な秘密情報伝送キーであり、ＦＳＫ（Fixed Symmetric Key）又は公開鍵のいずれかであることが望ましく、前記測定部は、無線信号の特性情報を用いて前記離隔距離を測定することができ、前記特性情報は、受信した信号強度、リンクの品質、及びパケットエラー率のうち、いずれか１つ、又は２つ以上を複合したものであることが望ましい。
また、前記測定部は、動作開始信号が入力されることにより動作することもできる。
【００１８】
前記の目的を達成するための本発明に係るネットワークシステムは、媒介装置は、デバイスと前記媒介装置との離隔距離を測定し、前記デバイスとの離隔距離が所定の閾値より小さい場合、前記デバイスに所定のキーの送信を要請する信号を伝送し、ホストと前記媒介装置との離隔距離を測定し、前記ホストとの離隔距離が所定の閾値より小さい場合、前記デバイスから受け取った前記所定のキーを前記ホストに伝送し、前記デバイスは、
前記媒介装置から前記所定のキーの送信を要請する信号を受け取った場合、前記所定のキーを前記媒介装置に伝送し、前記ホストは、前記媒介装置から前記所定のキーを受け取った場合、前記媒介装置に接続に必要な情報を伝送する。
【００１９】
また、前記媒介装置は、前記デバイスとの離隔距離が所定の閾値より小さい場合、ユーザに前記デバイスとの接続の要請をするか否かの選択を促す表示を行うことができ、前記媒介装置は、前記表示に応じて前記デバイスとの接続の要請信号を取得した場合に前記所定のキーの送信を要請する信号を前記デバイスに伝送することができる。
また、前記媒介装置は、前記ホストとの離隔距離が所定の閾値より小さい場合、ユーザに前記ホストとの接続の要請をするか否かの選択を促す表示を行うことができ、前記媒介装置は、前記表示に応じて前記ホストとの接続の要請信号を取得した場合に前記所定のキーを前記ホストに伝送することができる。
【００２０】
また、前記所定のキーは、秘密情報を伝送するために必要な秘密情報伝送キーであり、ＦＳＫ（Fixed Symmetric Key）又は公開鍵のいずれかであることが望ましく、前記媒介装置は、無線信号の特性情報を用いて前記離隔距離を測定することができ、前記特性情報は、受信した信号強度、リンクの品質、及びパケットエラー率のうち、いずれか１つであることが望ましい。
また、前記媒介装置は、携帯端末であることが望ましい。
【発明の効果】
【００２１】
本発明によると、デバイスのホストへの接続のための一連の過程が、ユーザが意識することなく行われるので、ユーザの利便性を向上することができる。
【発明を実施するための最良の形態】
【００２２】
以下、添付した図面を参照しつつ、本発明の好適な実施形態を詳述する。
【００２３】
本発明の技術的な思想は、ネットワークにおけるホストへの接続を行うデバイスの状態が、移動可能な場合と移動不可能な場合に区分される。
【００２４】
［第１実施形態］
図３Ａは、デバイスが移動可能な場合における本発明の第１実施形態に係るネットワークシステムを示す図面である。
図３Ａに示すように、本実施形態に係るネットワークシステムは、第１ホスト１１０、第２ホスト１５０及び移動デバイス１３０を含む。移動デバイス１３０は、最初に第２ホスト１５０に接続された状態で動作し、ユーザの必要に応じて第１ホスト１１０への接続及びそれに伴う動作を行う。
【００２５】
図３Ｂは、デバイスが移動可能な場合における本実施形態に係るネットワークシステムの接続方法を説明するフローチャートである。
図３Ａ及び図３Ｂに基づいて、デバイスが移動可能な場合における本実施形態に係るネットワークシステムの接続方法について説明する。
先ず、移動デバイス１３０が第１ホスト１１０へと接近した場合、第１ホスト１１０は移動デバイス１３０との離隔距離を測定する（Ｓ２００）。
【００２６】
第１ホスト１１０が測定した離隔距離が所定の閾値より小さい場合には、第１ホスト１１０は移動デバイス１３０にユーザが接続の意図があるかどうかを確認することを要請する信号を伝送する（Ｓ２１０）。
ここでの閾値は、通信環境に応じて適応的に設定することができ、本実施形態の場合には、０〜５ｃｍ程度が好ましい。
なお、本実施形態の接続方法において、Ｓ２００段階は移動デバイス１３０にて実行することもでき、この場合は前記のＳ２１０段階は不要になる。
【００２７】
一方、第１ホスト１１０から接続意図の確認要請信号を受け取った移動デバイス１３０は、ユーザに第１ホスト１００への接続を要請するか否かの選択を問う内容を図示しない表示部に表示する。
これに対し、例えば、ユーザが移動デバイス１３０上のボタンを押す動作を通じて、第１ホスト１００への接続を要請すると、移動デバイス１３０には接続の要請信号が入力され、それによりユーザの第１ホスト１１０への接続意図の確認がなされる（Ｓ２２０）。
【００２８】
その後、移動デバイス１３０は、第１ホスト１１０へ所定のキーを伝送する（Ｓ２３０）。ここでの所定のキーは、秘密情報を伝送するために必要なキーであって、本実施形態においては、所定のキーにはＦＳＫ又は公開鍵などを適用することができる。
【００２９】
そして、第１ホスト１１０が所定のキーを受け取ると、第１ホスト１１０は移動デバイス１３０に情報（コネクションコンテクスト）を伝送することで、接続が確立される（Ｓ２４０）。
【００３０】
一方、前記のＳ２００段階において、第１ホスト１１０が移動デバイス１３０との離隔距離を測定するために、第１ホスト１１０は図示しない測定部を備える必要がある。以下では、この測定部における離隔距離の測定方法の原理について説明する。
【００３１】
図４は本実施形態に係るネットワーク上のホストとデバイスとの離隔距離の測定方法の原理を説明する図面である。
図４に示すように、第１ホスト１１０に相当するノード１と、移動デバイス１３０に相当するノード２との距離は、次の数式（１）によって計算することができる。
【００３２】
【数１】
2007089159.tif 000003
【００３３】
上記の数式（１）において、ｔ０はノード１から信号が伝送される時刻であり、ｔ１はノード１が伝送した信号に対して、ノード２が応答信号の伝送を受け取る時刻である。τはノード１からノード２まで伝送するために必要な時間であり、Δはノード２での処理時間（Process Time）である。数式（１）をτについて整理すると次の数式（２）になる。
【００３４】
【数２】
2007089159.tif 000004
【００３５】
上記の数式（２）を用いて求めたτを、次の数式（３）に代入すると、第１ホスト１１０と移動デバイス１３０との間の離隔距離を求めることができる。
【００３６】
【数３】
2007089159.tif 000005
【００３７】
上記の数式（３）において、ｃはノード１とノード２との間の伝送速度であり、上記の数式（３）を用いて、第１ホスト１１０は離隔距離を計算することができる。
【００３８】
一方、本実施形態において、前記のように直接的な方法によって離隔距離を計算することもできるが、無線信号の特性情報を用いて離隔距離を測定することもできる。
この特性情報として、受信した信号強度（ＲＳＳＩ：Received Signal Strength Indicator）、リンクの品質（ＬＱＩ：Link Quality Indicator）、又はパケットエラー率（ＰＥＲ：Packet Error Rate）などを適用することができ、これらのうち２つ以上を複合させて適用することもできる。
【００３９】
［第２実施形態］
以下、ネットワークにおけるホストへの接続を行うデバイスの状態が、移動不可能な場合である、本発明の第２実施形態について説明する。
【００４０】
図５Ａは、デバイスが移動不可能な場合における本実施形態に係るネットワークシステムを示す図面である。図５Ａに示すネットワークシステムは、ホスト３１０、デバイス３５０、及び媒介装置（Introducer）３３０を含み、ここで、媒介装置３３０は、ユーザによってデバイス３５０とホスト３１０との間で移動され、一般のユーザが容易に携帯可能な携帯電話等の携帯端末を用いることができる。
図５Ｂは、デバイスが移動不可能な場合における本実施形態に係るネットワークシステムの接続方法を説明するフローチャートである。
【００４１】
媒介装置３３０がデバイス３５０の近傍に移動すると、媒介装置３３０はデバイス３５０との離隔距離を測定する（Ｓ４００）。このために媒介装置３３０には、図示しない測定部を備える必要がある。本実施形態において、媒介装置３３０が携帯電話としての機能を備えている場合、媒介装置３３０への離隔距離の測定のための動作開始信号をユーザが入力することにより測定部が動作を開始することが好ましい。
そして、媒介装置３３０は、測定した離隔距離が所定の閾値よりも小さい場合、ユーザに接続を要請するか否かの選択を問う内容を媒介装置３３０上の図示しない表示部に表示する。
【００４２】
なお、Ｓ４００段階における距離測定はデバイス３５０において行うこともでき、この場合、デバイス３５０は媒介装置３３０にユーザが接続する意図があるか否かを確認することを要請する信号を伝送し、それに応じて、媒介装置３３０は、ユーザに接続を要請するか否かの選択を問う内容を、前記の表示部に表示する。
ここでの離隔距離の測定原理及び所定の閾値の設定については前記の通りである。
【００４３】
次に、例えば、ユーザが媒介装置３３０上のボタンを押すことにより、接続要請信号が媒介装置３３０に入力されると、媒介装置３３０はデバイス３５０に所定のキーを要求する信号を伝送する（Ｓ４１０）。
そして、媒介装置３３０から所定のキーを要求する信号を受け取ったデバイス３５０は、所定のキーを媒介装置３３０に送信する（Ｓ４２０）。ここで、所定のキーとしては、前記のようにＦＳＫ又は公開鍵のいずれかを用いることができる。
【００４４】
次に、媒介装置３３０がホスト３１０の近傍に移動すると、媒介装置３３０はホスト３１０との離隔距離を測定する（Ｓ４３０）。
媒介装置３３０は、測定した離隔距離が所定の閾値より小さい場合、ユーザに接続を要請するか否かの選択を問う内容を媒介装置３３０上の表示部に表示する。
【００４５】
なお、Ｓ４３０段階における距離測定はホスト３１０において行うこともでき、この場合、ホスト３１０は媒介装置３３０にユーザが接続する意図があるか否かを確認することを要請する信号を伝送し（Ｓ４５０）、それに応じて、媒介装置３３０はユーザに接続を要請するか否かの選択を問う内容を媒介装置３３０上の表示部に表示する。
また、ここでの離隔距離の測定原理及び所定の閾値の設定についても前記の通りである。
【００４６】
次に、例えば、ユーザが媒介装置３３０上のボタンを押すことにより、接続要請信号が媒介装置３３０に入力されると、媒介装置３３０はホスト３１０に前記の所定のキーを伝送する（Ｓ４４０）。その結果、ホスト３１０は情報（コネクションコンテクスト）をデバイス３５０に伝送し、それにより、デバイス３５０のホスト３１０への接続手順（アソシエーション）は完了する。
なお、図３Ａに示した移動デバイス１３０が、図５Ａに示した媒介装置３３０として動作する構成としてもよい。
【００４７】
図６は、本実施形態に係る移動デバイスが、ホストに直接接続するデバイス又は媒介装置として動作できる場合の接続方法を説明するフローチャートである。
図６に示すように、先ず、ユーザは該当デバイスの用途を選択することになる。このデバイスのボタン部などを介して当該デバイスの用途（媒介装置として利用するか否か）を選択すると、このデバイスはこの用途を選択する信号を受信する（Ｓ５００）。
次いで、このデバイスは自身の用途が媒介装置として指定されたか否かを確認し（Ｓ５０５）、媒介装置と指定されていなければ（Ｓ５０５でＮ）、このデバイスはホストの近傍に移動すると、ホストから受信した信号強度が所定の閾値を超えているか否かを確認する（Ｓ５１０）。
【００４８】
受信した信号強度が所定の閾値を超えていなければ（Ｓ５１０でＮ）、前記のＳ５１０段階を繰り返し、受信した信号強度が所定の閾値を超えていれば（Ｓ５１０でＹ）、表示部を作動させることにより、ユーザにホストへの接続の要請をするか否かの選択を誘導する表示を行う（Ｓ５１５）。
【００４９】
ユーザが当該デバイスの図示しない接続要請ボタンを所定時間の間押していないか、又は図示しない接続拒否ボタンを押した場合は（Ｓ５２０でＮ）、該当デバイスは再びＳ５１０段階を繰り返し、ユーザが当該デバイスの接続要請ボタンを押すことで、接続を要請する信号を取得した場合は（Ｓ５２０でＹ）、ホストへＦＳＫを伝送し（Ｓ５２５）、その結果、ホストから情報（コネクションコンテクスト）を受け取ることにより接続手順（アソシエーション）は完了する（Ｓ５３０）。
【００５０】
一方、ユーザが当該デバイスの用途を媒介装置として指定していれば（Ｓ５０５でＹ）、このデバイス（以下、媒介装置という）はホストとの接続が要求されるデバイスの近傍に移動すると、デバイスから受信した信号強度（ＲＳＳＩ）が所定の閾値を超えているか否かを確認する（Ｓ５３５）。
受信した信号強度が所定の閾値を超えていなければ（Ｓ５３５でＮ）、前記のＳ５３５段階を繰り返し、受信した信号強度が所定の閾値を超えていれば（Ｓ５３５でＹ）、表示部を作動させることにより、ユーザにデバイスへの接続の要請をするか否かの選択を誘導する表示を行う（Ｓ５４０）。
【００５１】
ユーザが媒介装置の接続要請ボタンを所定時間の間押していないか、又は接続拒否ボタンを押した場合は（Ｓ５４５でＮ）、媒介装置は再びＳ５３５段階を繰り返し、ユーザが媒介装置の接続要請ボタンを押すことで、接続を要請する信号を取得した場合は（Ｓ５４５でＹ）、デバイスへＦＳＫ要請信号を伝送する。それにより、媒介装置はデバイスからＦＳＫを受け取る（Ｓ５５０）。
【００５２】
その後、媒介装置はホストの近傍に移動すると、ホストから受信した信号強度が所定の閾値を超えているか否かを確認する（Ｓ５５５）。
受信した信号強度が所定の閾値を超えていなければ（Ｓ５５５でＮ）、前記のＳ５５５段階を繰り返し、受信した信号強度が所定の閾値を超えていれば（Ｓ５５５でＹ）、表示部を作動させることにより、ユーザにホストへの接続の要請をするか否かの選択を誘導する表示を行う（Ｓ５６０）。
【００５３】
ユーザが媒介装置の接続要請ボタンを所定時間の間押していないか、又は接続拒否ボタンを押した場合は（Ｓ５６５でＮ）、媒介装置は再びＳ５５５段階を繰り返し、ユーザが媒介装置の接続要請ボタンを押した場合は（Ｓ５６５でＹ）、ホストへＦＳＫを伝送する（Ｓ５７０）。その結果、ホストとの接続が要求されるデバイスはホストから情報（コネクションコンテクスト）を受け取ることにより接続手順（アソシエーション）は完了する（Ｓ５７５）。
【００５４】
以上、各図面を参照しつつ本発明の好適な実施形態を説明してきたが本発明の保護範囲は、前記の実施形態に限定するものではなく、特許請求の範囲に記載された発明とその均等物にまで及ぶものである。
【図面の簡単な説明】
【００５５】
【図１】従来技術に係るネットワークシステムを示す図面である。
【図２】従来技術に係る他のネットワークシステムを示す図面である。
【図３Ａ】デバイスが移動可能な場合のネットワークシステムを示す図面である。
【図３Ｂ】デバイスが移動可能な場合のネットワークシステムにおける接続方法を説明するフローチャートである。
【図４】ネットワーク上のホストとデバイスとの離隔距離の測定方法の原理を説明する図面である。
【図５Ａ】デバイスが移動不可能な場合のネットワークシステムを示す図面である。
【図５Ｂ】デバイスが移動不可能な場合のネットワークシステムにおける接続方法を説明するフローチャートである。
【図６】移動デバイスが、ホストに直接接続するデバイス又は媒介装置として動作できる場合の接続方法を説明するフローチャートである。
【符号の説明】
【００５６】
１１０  第１ホスト
１３０  移動デバイス
１５０  第２ホスト
３１０  ホスト
３３０  媒介装置
３５０  デバイス
【図１】
2007089159.tif 000006
【図２】
2007089159.tif 000007
【図３Ａ】
2007089159.tif 000008
【図３Ｂ】
2007089159.tif 000009
【図４】
2007089159.tif 000010
【図５Ａ】
2007089159.tif 000011
【図５Ｂ】
2007089159.tif 000012
【図６】
2007089159.tif 000013